(57)【特許請求の範囲】
【請求項１】
回転可能に設置された表示器と、
前記表示器の画面表示を該表示器の回転位置に合わせて変更する手段と、
前記表示器を予め定めた第１の時間回転させなかった場合に、前記表示器の画面の一部に回転操作を促すメッセージを表示させ、前記表示器が回転されるまで該メッセージを保持するメッセージ表示手段と、
を具備したことを特徴とする表示装置。
【請求項２】
前記メッセージ表示手段は、回転操作を促すメッセージ情報を記憶したメモリと、前記表示器に表示すべき各種情報に前記メモリのメッセージ情報を合成して出力する画像合成回路と、前記表示器の回転を検出するスイッチと、前記スイッチにより前記表示器の回転が検出されたらリセットされるタイマーとを備え、
前記タイマーのカウント時間が前記第１の時間を超えた場合は、前記画像合成回路の出力映像信号を前記表示器に供給することを特徴とする請求項１記載の表示装置。
【請求項３】
前記表示器は、商品の販売額を計算・記録する金銭登録機の表示部を成すものであることを特徴とする請求項１又は２に記載の表示装置。
【請求項４】
前記表示器は、商品の価格情報を表示する電子値札を成すものであることを特徴とする請求項１又は２に記載の表示装置。
【請求項５】
前記表示器に警報ランプが設けられており、
前記タイマーのカウント時間が前記第１の時間よりも長い第２の時間を越えた場合に、前記警報ランプを点灯させることを特徴とする請求項１記載の表示装置。
【請求項６】
請求項１に記載の表示装置に用いられ、前記表示器の表示焼き付きを防止するためのコンピュータ読取り可能なプログラムであって、
前記表示器の回転を検出するスイッチにより前記表示器の回転が検出されたらリセットされるタイマーのリセットからの経過時間を計測する手順と、
前記経過時間が予め定めた時間を超えるまでは前記表示器に表示すべき各種情報の映像信号を選択して前記表示器に表示させる手順と、
前記経過時間が予め定めた時間を超えたら、前記表示器に表示すべき各種情報に前記表示器の回転操作を促すメッセージ情報を合成した映像信号を選択して前記表示器の一部に回転操作を促すメッセージを表示させる手順と、
前記表示器に前記メッセージが表示されている状態で、前記スイッチにより表示器の回転が検出されたら、前記各種情報の映像信号を選択して前記メッセージの表示を停止すると共に前記タイマーをリセットする手順と、
をコンピュータにより実施させるための表示焼き付き防止プログラム。
【発明の詳細な説明】
【技術分野】
【０００１】
本発明の実施形態は、ＬＣＤ（Liquid Crystal Display）等の表示器を備えた表示装置に係わり、特に焼き付きの防止機能を備えた表示装置及び焼き付き防止プログラムに関する。
【背景技術】
【０００２】
近年、省電力，軽量などの理由から、多くの電子機器には表示器としてＬＣＤが搭載されている。ＬＣＤに表示するものは、文字・静止画・動画など様々であり、更に表示時間も頻繁に表示するものが変わるものもあれば、長時間内容が変わらないものもある。
【０００３】
ＬＣＤは、長時間同じ表示を続けると焼き付き現象が発生することがある。焼き付きが発生すると、以前の表示がうっすらと残るため、画面が見づらくなってしまう。焼き付きの発生を防止するためには、表示を一定時間で変更すればよいが、特定用途向けの機器の場合、画面の一部の表示が希にしか変わらないことがある。例えば、ＰＯＳ（Point Of Sale）端末の各種ボタン類を配置した操作枠部分は常に同じ表示となっており、この部分の焼き付きの発生が懸念される。
【先行技術文献】
【特許文献】
【０００４】
【特許文献１】特開平５−２６５３８５号公報
【発明の概要】
【発明が解決しようとする課題】
【０００５】
前述したように従来の表示装置においては、画面の一部の表示が希にしか変わらないことがあり、表示器としてＬＣＤを用いた場合は表示焼き付きを招くことになる。
【０００６】
本発明の一実施形態は、ＬＣＤ等の表示器が長時間同じ表示を続けるのを避けることができ、表示器の焼き付きの防止に寄与し得る表示装置及び焼き付き防止プログラムを提供することを目的とする。
【課題を解決するための手段】
【０００７】
実施形態によれば、回転可能に設置された表示器を備えた表示装置であって、前記表示器の画面表示を該表示器の回転位置に合わせて変更する手段と、前記表示器を予め定めた時間回転させなかった場合に、前記表示器の画面の一部に回転操作を促すメッセージを表示させ、前記表示器が回転されるまで該メッセージを保持するメッセージ表示手段とを備えている。
【図面の簡単な説明】
【０００８】
【図１】第１の実施形態に係わる金銭登録機の外観構成を示す図。
【図２】図１の金銭登録機の表示部及びメッセージ表示回路の構成を示すブロック図。
【図３】第１の実施形態におけるメッセージ表示動作を示すフローチャート。
【図４】第１の実施形態における表示画面の一例を示す図。
【図５】第２の実施形態に係わる金銭登録機を説明するためのもので、メッセージ表示動作を示すフローチャート。
【発明を実施するための形態】
【０００９】
以下、実施の形態について、図面を参照して説明する。
【００１０】
（第１の実施形態）
図１は第１の実施形態に係わる金銭登録機の外観構成を示す図である。
【００１１】
図中の１０は商品の販売額等を計算・記録するための金銭登録機本体、２０は金銭登録機本体１０に取り付けられた表示部である。図には示さないが金銭登録機本体１０には、商品コードを読み取るためのスキャナー、商品情報等を入力するためのキーボード、及びプリンタ等が接続されている。また、金銭登録機本体１０には、本来の機能に加え、本実施形態の特徴であるメッセージ表示回路が設けられている。
【００１２】
図２は表示部２０の回路構成と、メッセージ表示回路３０の回路構成を示すブロック図である。
【００１３】
表示部２０は、図１に示すようにＬＣＤパネル２１を備え、ＬＣＤパネル２１と共に機械的に１８０度回転可能となっている。さらに、表示部２０は、図２に示すように、ＬＣＤパネル２１が回転したときのパネル上下位置を指定する回路２２と、ＬＣＤパネル２１が１８０度回転したときに画面表示を回転に合わせて変更するための上下反転切り替え回路２３が設けられている。
【００１４】
メッセージ表示回路３０は、画像合成回路３１、「画面を１８０度回転して下さい」等のメッセージを記憶したメッセージメモリ３２、ＬＣＤパネル２１の反転を検出するための反転検出スイッチ３３、タイマー３４、タイマー３４のカウント値を計測するためのカウンタ３５等で構成されている。
【００１５】
金銭登録機として本来表示すべき各種情報の映像信号（画像情報Ａ）は画像合成回路３１に供給される。この画像合成回路３１には、画像情報Ａと共にメーセージメモリ３２からのメッセージ情報が入力され、必要に応じて画像情報Ａにメッセージ情報Ｂを重畳するようになっている。具体的には、カウンタ３５の出力に応じて、画像情報Ａをそのまま出力するか、画像合成情報Ａ＋Ｂを出力するようになっている。そして、この画像合成回路３１の出力信号は、映像信号として表示部２０の上下反転切り替え回路２３に供給される。なお、画像合成の方法としては、本来の画面にメッセージの文字のみを表示するようにしても良いし、ピクチャーインピクチャーの形で子画面にメッセージを表示するようにしても良い。
【００１６】
反転検出スイッチ３３は、本体１０又は表示部２０に設けられて、表示部２０の１８０度回転を機械的に検出するものである。タイマー３４は、反転検出スイッチ３３によりＬＣＤパネル２１の反転が検出されたときにリセットされる。そして、カウンタ３５により一定時間Ｔ0 （第１の時間）の経過が検出されたら、画像合成回路３１に画像合成指示を出し、画像合成回路３１が画像合成を行うようになっている。
【００１７】
次に、本実施形態における動作を、図３のフローチャート及び図４（ａ）（ｂ）の画面表示例を参照して説明する。
【００１８】
常時は、表示部２０のＬＣＤパネル２１には、例えば図４（ａ）に示すような画面が表示されている。ここで、４１はスキャナーで読み取られた商品の各種情報及び合計金額等を表示する領域、４２は各種ボタンが配置された操作枠部である。操作枠部４２の表示は常に同じ又は希にしか変わらないため、この部分に焼き付きが生じる恐れがある。
【００１９】
本実施形態では、図３に示すように、電源オン又はＬＣＤパネル２１の回転によりタイマー３４がリセットされる（ステップＳ１）。この状態では、前記画像合成回路３１から通常の画像情報Ａがそのまま表示部２０に供給され、ＬＣＤパネル２１には図４（ａ）に示すような画像が表示されている。
【００２０】
タイマー３４がリセットされてからの経過時間Ｔは、カウンタ３５により計測される（ステップＳ２）。そして、タイマー３４がリセットされてから一定時間Ｔ0 が経過したか否かが判定される（ステップＳ３）。経過時間Ｔが一定時間Ｔo よりも短い場合（Ｔ＜Ｔo ）は、Ｓ２，Ｓ３のループを繰り返す。経過時間ＴがＴo よりも長くなったら（Ｔ≧Ｔo ）、カウンタ３５から画像合成回路３１に指示が出され、前記画像合成回路３１により通常の画像情報Ａにメモリ１２からのメッセージ情報Ｂが重畳される。そして、画像合成された信号Ａ＋Ｂが表示部２０に供給される。従って、表示部２０のＬＣＤパネル２１には図４（ｂ）に示すように、メッセージ領域４３に「１８０度回転して下さい」などのメッセージが表示されることになる（ステップＳ４）。
【００２１】
メッセージが表示されたら、前記反転検出スイッチ３３により表示部２０の回転が検出されたか否かが判定される（ステップＳ５）。反転が検出されなければ、メッセージ表示はそのまま続くことになる。反転が検出されたら、前記画像合成回路３１による画像合成を止め、通常の画像情報Ａのみを表示部２０に供給する。これにより、表示部２０におけるメッセージの表示が停止される（ステップＳ６）。そして、Ｓ１に戻り、タイマー３４がリセットされる。
【００２２】
なお、表示部２０が回転された場合の画像の反転は、パネル上下位置指定回路２２及び上下反転切り替え回路２３により、周知の方法により行われる。
【００２３】
このように、表示部２０には、常時は図４（ａ）に示すような本来の画面がそのまま表示され、一定時間経過したら図４（ｂ）に示すように画面に回転を促すメッセージが付加される。従って、操作者は、ＬＣＤ２１の表示が長時間同じ表示を続けたことを画面表示から確認することができ、これにより表示部２０を回転させることが容易となる。このため、画面の焼き付きを未然に防止することができる。
【００２４】
また、既存の金銭登録機本体１０の回路構成を大幅に変更することなく、メッセージ表示回路３０を付加するのみの構成で実現することができ、実現する際のコスト増加を抑制することができる。
【００２５】
なお、本実施形態では、メッセージ表示回路３０をハードウェアで構成したが、この回路３０の画像合成回路３１とカウンタ３５については、コンピュータとその機能を制御するアプリケーションプログラム（焼き付防止プログラム）とによって構成することができる。この場合、プログラムは、タイマー３４のリセットからの経過時間Ｔを計測する手順と、この経過時間Ｔが一定時間Ｔ0 を超えるまではＬＣＤパネル２１に表示すべき各種情報の映像信号を選択してＬＣＤパネル２１に表示させる手順と、経過時間Ｔが一定時間Ｔ0 を超えたら、ＬＣＤパネル２１に表示すべき各種情報にＬＣＤパネル２１の回転操作を促すメッセージ情報を合成した映像信号を選択してＬＣＤパネル２１の一部に回転操作を促すメッセージを表示させる手順と、ＬＣＤパネル２１に上記メッセージが表示されている状態で、反転検出スイッチ３３により表示器の回転が検出されたら、各種情報の映像信号を選択して上記メッセージの表示を停止すると共にタイマー３４をリセットする手順とをコンピュータに実施させる。
【００２６】
（第２の実施形態）
図５は、第２の実施形態に係わる金銭登録機を説明するためのもので、焼き付き防止に係わる動作を示すフローチャートである。
【００２７】
本実施形態の基本的な構成は第１の実施形態と同じであるので、ここでは省略する。本実施形態が第１の実施形態と異なる点は、表示部２０の上部等に警告灯が設置されていることである。
【００２８】
Ｓ１１〜Ｓ１４までは第１の実施形態のＳ１〜Ｓ４と同様であり、タイマーリセットから一定時間Ｔ0 が経過した後に画面の回転を促すメッセージが表示される（ステップＳ１４）。Ｓ１４でメッセージを表示した後に、カウンタ３５により経過時間Ｔが計測される（ステップＳ１５）。そして、タイマー３４がリセットされてから一定時間Ｔ0（第１の時間）よりも長いＴ1（第２の時間）が経過したか否かが判定される（ステップＳ１６）。
【００２９】
経過時間ＴがＴ1 に達していなければ、第１の実施形態と同様に前記反転検出スイッチ３３により表示部２０の回転が検出されたか否かが判定される（ステップＳ１８）。反転が検出されなければ、Ｓ１５に戻り、メッセージ表示はそのまま続くことになる。Ｓ１６で経過時間ＴがＴ1 以上経過したと判定されたら、警告灯を点灯させる（ステップＳ１７）。警告灯を点灯させた後は、Ｓ１８により回転が検出されたか否かの判定を行う。
【００３０】
Ｓ１８で回転が検出されたと判定されたら、前記画像合成回路３１による画像合成を止め、通常の画像情報Ａのみを表示部２０に供給する。これにより、表示器３０におけるメッセージの表示が停止される（ステップＳ１９）。そして、Ｓ１１に戻り、タイマー３４がリセットされる。
【００３１】
表示部２０の画面へのメッセージの場合、操作者が画面を見ている場合は問題ないが、操作者が表示部２０と離れた位置にいる場合はメッセージに気づかない場合がある。このような場合であっても、警告灯を点灯させることにより、操作者へ表示部２０の回転が必要なことを伝えることが可能となる。
【００３２】
このように本実施形態によれば、先の第１の実施形態と同様の効果が得られるのは勿論のこと、画面へのメッセージと共に、警告灯を点灯させることにより、離れた位置にいる操作者へも警告を発することができ、焼き付きの防止をより確実に行うことができる。
【００３３】
（変形例）
なお、本発明は上述した各実施形態に限定されるものではない。実施形態では金銭登録機に適用した場合を説明したが、画面の内容が長時間変わらないような表示部を有するものであれば適用することができ、例えば商品の価格情報をＬＣＤに表示する電子値札に適用することも可能である。
【００３４】
実施形態では、表示器の回転は１８０度にしたが、必ずしもこれに限らず９０度回転するような表示器に適用することも可能である。また、メッセージを表示すべき位置やメッセージ内容は、適宜変更可能である。さらに、メッセージを表示するまでの時間を決めるためのＴ0 やＴ1 の値は、仕様に応じて適宜変更可能である。
【００３５】
また、表示部の回転を検出するための反転検出スイッチは必ずしも必要はなく、表示部側に設けられているパネル上下位置指定回路の出力信号を利用しても良い。さらに、表示部自体に回転した場合の上下反転切り替え機能がない場合、パネル上下位置指定回路、上限反転回路を、表示部側ではなく本体側に設けるようにしても良い。
【００３６】
また、前記実施形態は、装置内部の記憶部に発明の機能を実現させる制御プログラムが予め記録されているものとした。しかしこれに限らず、同様のプログラムがネットワークから装置にダウンロードされてもよい。あるいは、記録媒体に記録された同様のプログラムが、装置にインストールされてもよい。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００３７】
本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３８】
１０…金銭登録機本体
２０…表示部
２１…ＬＣＤパネル
２２…パネル上下位置指定回路
２３…上下反転切り替え回路
３０…メッセージ表示回路
３１…画像合成回路
３２…メッセージメモリ
３３…反転検出スイッチ
３４…タイマー
３５…カウンタ
４１…各種情報及び合計金額等を表示する領域
４２…操作枠部
４３…メッセージ領域
【図１】
0005244926.tif 000002
【図２】
0005244926.tif 000003
【図３】
0005244926.tif 000004
【図４】
0005244926.tif 000005
【図５】
0005244926.tif 000006